(57)【要約】【課題】リフロー加熱時間を過度に長くすることなく、コイルを有する表面実装型素子をリフロー加熱により基板にはんだ付けしても、はんだ不濡れやはんだ溶融が不十分になるなどのはんだ付け品質の低下を抑制することが可能な電子回路基板を提供する。【解決手段】電子回路基板１２は、その表面に、表面実装型素子１４に流すべき電流値を確保するための電流容量によって決まるパターン面積よりも大面積のパターン２０，２１を有しており、表面実装型素子１４の接続端子１５，１８がはんだ接続されるランド２５，２８は、その大面積パターン２０，２１の一部として設けられている。このため、電子回路基板１２がリフロー炉内を搬送される際、大面積パターン２０，２１の集熱効果により、ランド２５，２８、ひいては表面実装型素子１４の接続端子１５，１８の温度をはんだが十分に溶融する温度まで高めることができる。【選択図】図２
2010045324.tif 000002
【特許請求の範囲】
【請求項１】
リフロー炉における加熱によって溶融されるはんだにより接続される表面実装型素子を備えた電子回路基板であって、
前記電子回路基板には、前記表面実装型素子を含む複数の素子が実装され、前記表面実装型素子は、それら複数の素子において相対的に大きい熱容量を有するものであり、
前記電子回路基板の表面には、前記表面実装型素子の端子がはんだ接続されるランドが形成され、当該ランドは、前記表面実装型素子に流すべき電流値を確保するための電流容量によって決まるパターン面積よりも大面積のパターンの一部として設けられることを特徴とする電子回路基板。
【請求項２】
前記表面実装型素子は、コイルを有する素子であることを特徴とする請求項１に記載の電子回路基板。
【請求項３】
前記大面積のパターンは、レジスト膜によって覆われるとともに、当該レジスト膜が前記ランドに対応する開口部を有し、その開口部から露出された大面積のパターンの一部が前記ランドとなることを特徴とする請求項１又は請求項２に記載の電子回路基板。
【請求項４】
前記表面実装型素子は、前記端子として、２個の接続端子と、前記電子回路基板への固定を補助するための少なくとも１個の固定補助端子とを有し、これらの２個の接続端子及び少なくとも１個の固定補助端子が、前記ランドにそれぞれはんだ接続されることを特徴とする請求項１乃至請求項３のいずれかに記載の電子回路基板。
【請求項５】
前記表面実装型素子は、前記端子として、前記コイルの両端にそれぞれ接続された２個の接続端子と、前記電子回路基板への固定を補助するための２個の固定補助端子とを有し、これらの２個の接続端子及び２個の固定補助端子が前記電子回路基板のランドにそれぞれはんだ接続されるものであって、前記２個の接続端子と前記２個の固定補助端子とは、隣接する端子同士を仮想線で結んだ場合、各々、仮想線により形成される矩形形状の頂点に位置するとともに、前記２個の接続端子が対角位置となり、かつ前記２個の固定補助端子が対角位置となるように、前記表面実装型素子の実装面に配置されることを特徴とする請求項２に記載の電子回路基板。
【請求項６】
前記２個の接続端子の一方と、前記２個の固定補助端子の一方とが同じ大面積のパターンに設けられたランドにそれぞれはんだ接続され、前記２個の接続端子の他方と、前記２個の固定補助端子の他方とが同じ大面積のパターンに設けられたランドにそれぞれはんだ接続されることを特徴とする請求項５に記載の電子回路基板。
【請求項７】
前記端子は、前記表面実装型素子の側面にも露出しており、その側面に露出した端子と前記ランドとによりはんだフィレットが形成されることを特徴とする請求項１乃至請求項６のいずれかに記載の電子回路基板。
【請求項８】
前記大面積のパターンは、前記電子回路基板が前記表面実装型素子を搭載した状態で前記リフロー炉内を搬送される搬送方向と平行となるように、前記電子回路基板の表面に形成されることを特徴とする請求項１乃至請求項７のいずれかに記載の電子回路基板。
【請求項９】
前記リフロー炉には、少なくとも前記表面実装型素子の表面側に向けて熱風を噴き出す複数のノズルが設けられ、前記大面積のパターンは、前記表面実装素子が前記リフロー炉内を搬送されるときに、前記ノズルからの熱風が直接当たる位置に設けられていることを特徴とする請求項８に記載の電子回路基板。
【請求項１０】
前記電子回路基板には、当該電子回路基板に形成されたスルーホールに端子が挿入される端子挿入型素子も実装され、当該端子挿入型素子は、前記表面実装型素子と隣接して設けられるものであって、前記大面積のパターンは、前記端子挿入型素子の端子との絶縁を確保しつつ、前記端子挿入型素子の直下の領域まで延びるように形成されることを特徴とする請求項１乃至請求項９のいずれかに記載の電子回路基板。
【請求項１１】
前記電子回路基板の裏面にも大面積のパターンが形成され、さらに、当該裏面に形成された大面積のパターンと表面に形成された大面積のパターンとを熱的に接続する、内部に金属材料が堆積されたビアホールを備えることを特徴とする請求項１乃至請求項１０のいずれかに記載の電子回路基板。
【請求項１２】
前記電子回路基板の表面の大面積のパターンは、前記ビアホールに対して、所定の隙間を隔てて、その周囲を取り囲むように形成され、前記電子回路基板の表面の大面積のパターンと前記ビアホール内部の金属材料とは電気的に絶縁されていることを特徴とする請求項１１に記載の電子回路基板。
【請求項１３】
前記表面実装型素子は熱容量の異なる複数の端子を有し、複数の端子の熱容量の差に応じて、各々の端子が接続される大面積のパターンの大きさに差を設けることを特徴とする請求項１乃至請求項３のいずれかに記載の電子回路基板。
【請求項１４】
前記大面積のパターンは、隙間なく広がったベタパターンであることを特徴とする請求項１乃至請求項１３のいずれかに記載の電子回路基板。
【請求項１５】
前記大面積パターンは、パターン内に、少なくとも１つのパターンが存在しない領域が形成されたものであることを特徴とする請求項１乃至請求項１３のいずれかに記載の電子回路基板。
【請求項１６】
前記大面積パターンは、ジグザグに折り返されたジグザグパターンであることを特徴とする請求項１乃至請求項１３のいずれかに記載の電子回路基板。
【請求項１７】
請求項１乃至請求項１６のいずれかに記載の電子回路基板を有することを特徴とする電子制御装置。
【発明の詳細な説明】
【技術分野】
【０００１】
本発明は、表面実装型素子を実装する電子回路基板及び電子制御装置に関する。
【背景技術】
【０００２】
ディーゼルエンジンやガソリン直噴エンジンにおいて、微小燃料の高精度な噴射を実現するためには、燃料噴射弁（インジェクタ）の開閉に高い応答性が求められる。そのため、特許文献１に記載されるように、インジェクタ駆動回路は、バッテリ電圧を昇圧する昇圧回路としてのＤＣ−ＤＣコンバータ及び当該ＤＣ−ＤＣコンバータによって昇圧された電圧を蓄えるコンデンサを備えている。そして、インジェクタを駆動する駆動用トランジスタをオンさせる前に、ＤＣ−ＤＣコンバータによってコンデンサを充電しておく。これにより、駆動用トランジスタをオンした時に、コンデンサからインジェクタへ大電流が通電されるので、インジェクタの開弁時に高速に開弁駆動することが可能になる。
【先行技術文献】
【特許文献】
【０００３】
【特許文献１】特開２０００−１１０６４０号公報
【発明の概要】
【発明が解決しようとする課題】
【０００４】
ここで、例えばエンジン回転速度が高くなったときなど、コンデンサからの放電頻度が高まったときにも、インジェクタへ大電流を安定的に供給することが必要である。このため、ＤＣ−ＤＣコンバータは、大電流を通電しても磁気飽和しにくく、かつ高インダクタンスを有するパワーチョークコイルを備える必要があり、また、インジェクタに駆動電流を供給するコンデンサとしては、大きなエネルギー量を保持可能な大容量コンデンサを用いる必要がある。
【０００５】
上述したパワーチョークコイルや大容量コンデンサは、体格の大きな大型部品となる。このような大型部品は、温度変化や振動といった厳しい車載環境条件においても、回路基板への実装状態及び電気的接続を確実に維持すべく、通常、端子挿入型部品（ＴＨＤ）として構成される。
【０００６】
しかしながら、端子挿入型部品（ＴＨＤ）の場合、基板裏面への部品実装や基板中間層へのパターン配置を行なうことができず、高密度実装による製品サイズの小型化を測る上で不利となる。そのため、パワーチョークコイルなどを、端子挿入型部品（ＴＨＤ）ではなく、表面実装型部品（ＳＭＤ）として構成することが考えられる。
【０００７】
ただし、パワーチョークコイルなどの大型部品を表面実装型部品として構成した場合、部品の体格が大きいため、またコイルの場合はコア及び巻き線で構成されるために、熱容量が大きい。このため、表面実装型部品の端子を回路基板のランドにリフロー加熱によってはんだ付けしようとしても、その端子の温度が上がりにくくなってしまう。その結果、はんだ不濡れやはんだ溶融が不十分になるなどはんだ付け品質が低下しやすくなる。このようなことは、鉛フリーはんだを代表とする高融点はんだを用いた場合、より顕著に発生する。
【０００８】
なお、上述した問題は、スポットリフローや手作業によるはんだ付けにより、表面実装型部品を搭載した回路基板を局所的に加熱したり、リフロー加熱時間を長くすることにより、解決できる可能性はあるが、製品加工費の増加や他部品に対する熱ストレスの増加といった問題を新たに生じさせてしまう。
【０００９】
本発明は、上述した点に鑑みてなされたものであり、リフロー加熱時間を過度に長くすることなく、表面実装型素子の端子をリフロー加熱により基板にはんだ付けしても、はんだ不濡れやはんだ溶融が不十分になるなどのはんだ付け品質の低下を抑制することが可能な電子回路基板を提供することを目的とする。
【課題を解決するための手段】
【００１０】
上記目的を達成するために、請求項１に記載の電子回路基板は、
リフロー炉における加熱によって溶融されるはんだにより接続される表面実装型素子を備えた電子回路基板であって、
電子回路基板には、表面実装型素子を含む複数の素子が実装され、前記表面実装型素子は、それら複数の素子において相対的に大きい熱容量を有するものであり、
電子回路基板の表面には、表面実装型素子の端子がはんだ接続されるランドが形成され、当該ランドは、表面実装型素子に流すべき電流値を確保するための電流容量によって決まるパターン面積よりも大面積のパターンの一部として設けられることを特徴とする。
【００１１】
上述したように、請求項１の電子回路基板は、その表面に、表面実装型素子に流すべき電流値を確保するための電流容量によって決まるパターン面積よりも大面積のパターンを有しており、表面実装型素子の端子がはんだ接続されるランドは、その大面積のパターンの一部として設けられている。このため、電子回路基板がリフロー炉内を搬送される際、大面積のパターンの集熱効果により、ランド、ひいては表面実装型素子の端子の温度をはんだが十分に溶融する温度まで高めることができる。その結果、熱容量の大きな表面実装型素子をリフロー加熱により電子回路基板にはんだ付けする場合であっても、はんだ付け品質の低下を抑制することができる。
【００１２】
請求項２に記載したように、表面実装型素子は、コイルを有する素子であっても良い。コイルを内蔵し、端子がそのコイルに接続されている場合、特に端子の熱容量が大きくなる傾向にあるが、請求項１に記載の電子回路基板により、その端子の温度を高めることができるためである。
【００１３】
請求項３に記載したように、大面積のパターンは、レジスト膜によって覆われるとともに、当該レジスト膜がランドに対応する開口部を有し、その開口部から露出された大面積のパターンの一部がランドとなることが好ましい。これにより、大面積のパターンの任意の位置にランドを設けることができ、表面実装型素子の実装位置の設計自由度が向上できる。
【００１４】
請求項４に記載したように、表面実装型素子は、端子として、２個の接続端子と、電子回路基板への固定を補助するための少なくとも１個の固定補助端子とを有し、これらの２個の接続端子及び少なくとも１個の固定補助端子が、ランドにそれぞれはんだ接続されることが好ましい。少なくとも１個の固定補助端子を設け、この固定補助端子をはんだ接続することができるようにランドを設けることにより、接続端子による固定のみならず、固定補助端子を利用した固定も実現でき、より確実に表面実装型素子を基板に固定することができる。
【００１５】
請求項５に記載したように、表面実装型素子は、端子として、コイルの両端にそれぞれ接続された２個の接続端子と、電子回路基板への固定を補助するための２個の固定補助端子とを有し、これらの２個の接続端子及び２個の固定補助端子が電子回路基板のランドにそれぞれはんだ接続されるものであって、２個の接続端子と２個の固定補助端子とは、隣接する端子同士を仮想線で結んだ場合、各々、仮想線により形成される矩形形状の頂点に位置するとともに、２個の接続端子が対角位置となり、かつ２個の固定補助端子が対角位置となるように、表面実装型素子の実装面に配置されることが好ましい。
【００１６】
コイルの両端に接続された２個の接続端子と、電子回路基板への固定を補助するための２個の固定補助端子とでは、コイルとの接続の有無に応じて、熱容量が大きく異なる。すなわち、固定補助端子の熱容量は、接続端子の熱容量よりも小さいため、固定補助端子は、接続端子よりも早く温度が上昇する。すると、固定補助端子と接続端子とで、はんだが溶融するタイミングにずれが生じ、はんだ張力差などによって表面実装型素子の実装位置がずれてしまう可能性が生じる。そのため、請求項５では、２個の接続端子と２個の固定補助端子とが矩形形状の頂点に位置するとともに、２個の接続端子が対角位置となり、かつ２個の固定補助端子が対角位置となるように、表面実装型素子の実装面に配置した。このような配置構造を採用することにより、固定補助端子のはんだが溶融したとき、はんだ張力差などが表面実装型素子に対して対称的に作用するので、接続端子と固定補助端子とではんだの溶融タイミングがずれても、表面実装型素子の実装位置がずれてしまうことを極力抑制することができる。
【００１７】
請求項６に記載したように、２個の接続端子の一方と、２個の固定補助端子の一方とが同じ大面積のパターンに設けられたランドにそれぞれはんだ接続され、２個の接続端子の他方と、２個の固定補助端子の他方とが同じ大面積のパターンに設けられたランドにそれぞれはんだ接続されても良い。固定補助端子は、接続端子と電気的に無関係であるため、固定補助端子と接続端子を同一の大面積のパターンにはんだ接続してもなんら問題は生じない。逆に、同一の大面積のパターンにはんだ接続することにより、大面積のパターンを大きくすることが容易になる。
【００１８】
請求項７に記載したように、端子は、表面実装型素子の側面にも露出しており、その側面に露出した端子とランドとによりはんだフィレットが形成されることが好ましい。これにより、端子のランドへのはんだ付け強度をより高めることができる。
【００１９】
請求項８に記載したように、大面積のパターンは、電子回路基板が表面実装型素子を搭載した状態でリフロー炉内を搬送される搬送方向と平行となるように、電子回路基板の表面に形成されることが好ましい。これにより、電子回路基板がリフロー炉内を搬送される際に、効率的に大面積のパターンの温度を高めることができる。
【００２０】
さらに、請求項９に記載したように、リフロー炉には、少なくとも表面実装型素子の表面側に向けて熱風を噴き出す複数のノズルが設けられ、大面積のパターンは、表面実装素子がリフロー炉内を搬送されるときに、ノズルからの熱風が直接当たる位置に設けられていることが好ましい。これにより、一層効果的に、大面積のパターンの温度を高めることができる。
【００２１】
請求項１０に記載したように、電子回路基板には、当該電子回路基板に形成されたスルーホールに端子が挿入される端子挿入型素子も実装され、当該端子挿入型素子は、表面実装型素子と隣接して設けられるものであって、大面積のパターンは、端子挿入型素子の端子との絶縁を確保しつつ、端子挿入型素子の直下の領域まで延びるように形成されることが好ましい。このように、大面積のパターンを設ける領域として、端子挿入型素子の直下の領域を利用することにより、電子回路基板表面を有効に活用し、各種素子を高密度に実装することが可能になる。なお、表面実装型素子がリフロー加熱により電子回路基板に実装されるときには、端子挿入型素子は、まだ電子回路基板に実装されておらず、表面実装型素子の実装後に、例えばはんだフロー工程により電子回路基板に実装される。
【００２２】
請求項１１に記載したように、電子回路基板の裏面にも大面積のパターンが形成され、さらに、当該裏面に形成された大面積のパターンと表面に形成された大面積のパターンとを熱的に接続する、内部に金属材料が堆積されたビアホールを備えることが好ましい。これにより、電子回路基板表面の大面積のパターンに加え、裏面の大面積のパターンも利用して集熱することができるので、ランド及び表面実装型素子の端子の温度をはんだが十分に溶融する温度まで容易に高めることができる。
【００２３】
なお、請求項１２に記載したように、電子回路基板の表面の大面積のパターンは、ビアホールに対して、所定の隙間を隔てて、その周囲を取り囲むように形成され、電子回路基板の表面の大面積のパターンとビアホール内部の金属材料とは電気的に絶縁されていても良い。このようにすれば、電子回路基板の裏面側に、集熱専用の大面積のパターンを設けることなく、他の回路を構成する大面積のパターンを利用して、電子回路基板の表面の大面積のパターンの温度向上を促進することができる。
【００２４】
請求項１３に記載したように、表面実装型素子は熱容量の異なる複数の端子を有し、複数の端子の熱容量の差に応じて、各々の端子が接続される大面積のパターンの大きさに差を設けても良い。例えば、表面実装型素子として、コイルの巻き線数の異なるトランスを用いる場合、そのコイルの巻き線数に応じて、それぞれのコイルに接続された端子に対する大面積のパターンの大きさに差を設けても良い。具体的には、熱容量の小さい端子に対する大面積のパターンの大きさを、熱容量の大きい端子に対する大面積のパターンの大きさよりも小さくする。これにより、それぞれの端子におけるはんだの溶融タイミングのずれを小さくすることができ、表面実装型素子の実装位置ずれを極力抑制することができる。
【００２５】
上述した大面積のパターンは、請求項１４に記載したように、隙間なく広がったベタパターンであっても良い。このように、大面積のパターンとしてベタパターンを用いることにより、簡単に大面積のパターンを形成することができる。
【００２６】
しかし、大面積のパターンは、ベタパターン以外に、例えば請求項１５に記載したように、パターン内に少なくとも１つのパターンが存在しない領域（例えば、スリットパターン）が形成されたものであっても良いし、請求項１６に記載したように、ジグザグに折り返されたジグザグパターンであっても良い。このような大面積のパターンを採用することにより、電子回路基板と、その表面に形成される大面積のパターンとの間に線膨張係数差があっても、電子回路基板に対するパターンの偏りを調整することができるので、その線膨張係数差による電子回路基板の歪みの発生を軽減することができる。
【００２７】
上述した電子回路基板により、はんだによる接続信頼性の低下を抑制しつつ、高密度実装が可能となる。従って、請求項１７に記載したように、電子制御装置が、上述した電子回路基板を有することにより、信頼性が高く、体格の小型化を図ることが可能な電子制御装置を提供することができる。
【図面の簡単な説明】
【００２８】
【図１】インジェクタ駆動回路に用いられるＤＣ−ＤＣコンバータ及び当該ＤＣ−ＤＣコンバータによって昇圧された電圧を蓄えるコンデンサＣ２などからなる昇圧回路の一例を示す回路図である。
【図２】第１実施形態における、リフロー炉内を搬送される電子回路基板１２を示す斜視図である。
【図３】回路基板１２の表面配線層における配線パターンを示す平面図である。
【図４】表面実装型素子１４の搭載面側を、ランド２５〜２８とともに示した図である。
【図５】接続端子１５とランド２５とのはんだ接続の状態を示した図である。
【図６】第２実施形態における、リフロー炉内を搬送される電子回路基板１２ａを示す斜視図である。
【図７】第３実施形態における、リフロー炉内を搬送される電子回路基板１２ｂを示す斜視図である。
【図８】第４実施形態における、リフロー炉内を搬送される電子回路基板１２ｃを示す斜視図である。
【図９】第５実施形態における、リフロー炉内を搬送される電子回路基板１２ｄを示す斜視図である。
【図１０】変形例における、回路基板１２の表面配線層の配線パターンを示す平面図である。
【図１１】変形例における、回路基板１２の表面配線層の配線パターンを示す平面図である。
【図１２】変形例における、回路基板１２の表面配線層の配線パターンを示す平面図である。
【図１３】変形例における、回路基板１２の表面配線層の配線パターンを示す平面図である。
【図１４】変形例における、回路基板１２の表面配線層の配線パターンを示す平面図である。
【発明を実施するための最良の形態】
【００２９】
（第1実施形態）
以下、本発明の第１実施形態を図に基づいて説明する。本実施形態による電子回路基板は、例えばディーゼルエンジンやガソリン直噴エンジンに用いられる電子制御装置におけるインジェクタ駆動回路の回路基板として用いられる。ただし、インジェクタ駆動回路に限らず、コイルを内蔵する表面実装型素子を搭載する必要がある場合、本実施形態による電子回路基板を用いれば、表面実装型素子のリフロー加熱によるはんだ付け品質の低下を抑制することができるため好ましい。
【００３０】
まず、本実施形態の電子回路基板に構成されるインジェクタ駆動回路について説明する。図１は、インジェクタ駆動回路に用いられるＤＣ−ＤＣコンバータ及び当該ＤＣ−ＤＣコンバータによって昇圧された電圧を蓄えるコンデンサＣ２などからなる昇圧回路の一例を示す回路図である。図１に示すように、昇圧回路は、電源に接続されたコンデンサＣ１を有する。このコンデンサＣ１は、後述するＤＣ−ＤＣコンバータに大電流が流されたとき、電源電圧の変動を抑制するために設けられている。
【００３１】
ＤＣ−ＤＣコンバータは、パワーチョークコイルＬ１、スイッチング素子Ｔｒ、抵抗Ｒ、整流ダイオードＤ１、及び制御回路１０などからなる。ＤＣ−ＤＣコンバータにより昇圧された電圧は平滑コンデンサＣ２に蓄えられる。本実施形態においては、平滑コンデンサＣ２に高電圧が蓄積された状態で、図示しない放電回路がオンすることにより、平滑コンデンサＣ２から放電回路を介して図示しないインジェクタへ大電流が供給される。
【００３２】
ここで、昇圧回路の動作について、簡単に説明する。制御回路１０がスイッチング素子Ｔｒをオンすることにより、パワーチョークコイルＬ１，スイッチング素子Ｔｒ、及び抵抗Ｒを介して電流が流れる。このとき、抵抗Ｒの端子電圧から抵抗Ｒを流れる電流の電流値が所定値に達したと判定されると、制御回路１０はスイッチング素子Ｔｒをオフする。すると、スイッチング素子Ｔｒがオフされるまでに通電されていた電流によりパワーチョークコイルＬ１に蓄えられた磁気エネルギーが電気エネルギーとして放電され、整流ダイオードＤ１を介して平滑コンデンサＣ２が充電される。
【００３３】
制御回路１０は、図示しない電圧検出回路を用いて、平滑コンデンサＣ２の電圧をモニタしており、平滑コンデンサＣ２の電圧が目標電圧に一致するように、スイッチング素子Ｔｒのオン・オフを制御する。
【００３４】
上述した構成を有する昇圧回路においては、エンジン回転速度が高くなったときなど、平滑コンデンサＣ２からの放電頻度が高まったときにも、インジェクタへ大電流を安定的に供給する必要がある。このため、ＤＣ−ＤＣコンバータは、大電流を通電しても磁気飽和しにくく、かつ高インダクタンスを有するパワーチョークコイルＬ１を備えており、その結果、パワーチョークコイルＬ１は比較的大型の部品となる。
【００３５】
本実施形態では、そのような大型の部品であるため、また内部に配置されたコアやコイルのために熱容量が大きくなるパワーチョークコイルＬ１を表面実装型素子として、リフロー加熱により回路基板にはんだ付けする。ただし、上述したようにパワーチョークコイルＬ１は熱容量が大きいため、単に、リフロー加熱を行なっただけでは、パワーチョークコイルＬ１を内蔵する表面実装型素子の端子の温度上昇が不十分となり、はんだ付け品質が低下する虞がある。
【００３６】
そのため、本実施形態では、パワーチョークコイルＬ１を内蔵する表面実装型素子をリフロー加熱により回路基板にはんだ付けしても、はんだ不濡れやはんだ溶融が不十分になるなどのはんだ付け品質の低下を抑制することができるように、回路基板の構成を工夫した。
【００３７】
以下、図２及び図３を参照しつつ、昇圧回路が搭載される電子回路基板１２の構成について詳しく説明する。なお、図２は、リフロー炉内を搬送される電子回路基板１２を示す斜視図である。表面実装型素子１４をリフロー加熱によりはんだ付けする際には、まだ、端子挿入型素子からなるコンデンサＣ１，Ｃ２は回路基板１２に実装されていない。このため、図２においては、端子挿入型素子からなるコンデンサＣ１，Ｃ２は点線で示されている。また、図２及び後述する図６〜図９では、回路基板１２の構成を明瞭に図示すべく、例えば回路基板１２が非常に厚く示されるなど、回路基板１２を模式的に示している。図３は、回路基板１２の表面配線層における配線パターンを示す平面図である。この図３においても、回路基板１２に実装される表面実装型素子１４、整流ダイオードＤ１、及び各コンデンサＣ１，Ｃ２が点線によって示されている
図２及び図３に示すように、コンデンサＣ１の一方の端子と、パワーチョークコイルＬ１を内蔵した表面実装型素子１４の一方の接続端子１５とは、共通の大面積パターン２０に接続されている。この大面積パターン２０は、銅やアルミニウムなどの熱伝導性の良好な金属材料によって形成され、図示しない配線を介して電源に接続されている。
【００３８】
表面実装型素子１４は、端子として、接続端子１５に加え、表面実装型素子１４の回路基板１２への固定を補助するための固定補助端子１６も有し、この固定補助端子１６は、接続端子１５と同じ大面積パターン２０に接続されている。また、表面実装型素子１４の他方の接続端子１８ともう１つの固定補助端子１７は、大面積パターン２０と隣接して設けられた大面積パターン２１にそれぞれ接続されている。固定補助端子１６，１７は、接続端子１５，１８と電気的に無関係であるため、固定補助端子１６，１７と接続端子１５，１８を同一の大面積パターン２０，２１にはんだ接続してもなんら問題は生じない。逆に、同一の大面積パターン２０，２１にはんだ接続することにより、大面積パターン２０，２１の面積を大きくすることが容易になる。なお、本実施形態では、大面積パターン２０、２１が、隙間なく広がったベタパターンとなっている。
【００３９】
ここで、大面積パターン２０，２１は、それぞれレジスト膜によって覆われている。そのレジスト膜には、大面積パターン２０，２１のランド２５〜２８となる部分に対応して開口部が形成されている。すなわち、レジスト膜の開口部から露出された大面積パターン２０，２１の一部がランド２５〜２８となる。これにより、大面積パターン２０，２１の任意の位置にランド２５〜２８を設けることができ、表面実装型素子１４の実装位置の設計自由度が向上する。
【００４０】
レジスト膜の開口部により規定されるランド２５〜２８には、予めペースト状のはんだが塗布されており、そのはんだがリフロー加熱により溶融されることにより、接続端子１５，１８及び固定補助端子１６，１７と、対応するランド２５〜２８とがはんだ接続される。
【００４１】
図４は、ランド２５〜２８と、接続端子１５，１８及び固定補助端子１６，１７との相対的な位置関係等を表すべく、表面実装型素子１４の搭載面側を、ランド２５〜２８とともに示した図である。図４に示すように、接続端子１５，１８及び固定補助端子１６，１７は、対応する各ランド２５〜２８上において、それらの中央ではなく、表面実装型素子１４側に偏った位置に搭載されている。従って、表面実装型素子１４の側面から、接続端子１５，１８や固定補助端子１６，１７が直接的に搭載されないランド部分が突出している。
【００４２】
また、接続端子１５，１８及び固定補助端子１６，１７は、それらの一辺（一側面）が、表面実装型素子１４の側面とほぼ同一面となるように設けられている。そして、接続端子１５，１８及び固定補助端子１６，１７は、図５に示すように、表面実装型素子１４の側面にも露出するように、表面実装型素子１４の側面の高さ方向に伸びている。なお、接続端子１５，１８及び固定補助端子１６，１７は、表面実装型素子１４に同様に設けられるので、図５では、代表として、接続端子１５について示している。
【００４３】
このように、接続端子１５，１８及び固定補助端子１６，１７が表面実装型素子１４の側面に露出され、かつ、その側面からランド２５，２８が突出していることにより、リフローによりランド２５〜２８上のはんだが溶融されると、図５に示すように、表面実装型素子１４の側面に露出した端子部分とランド２５〜２８とによりはんだフィレットが形成される。これにより、接続端子１５，１８及び固定補助端子１６，１７のランドへのはんだ付け強度をより高めることができる。
【００４４】
また、本実施形態では、図２〜図４に示すように、表面実装型素子１４の２個の接続端子１５，１８と２個の固定補助端子１６，１７とは、隣接する端子同士を仮想線で結んだ場合、各々、仮想線により形成される矩形形状の頂点に位置するとともに、２個の接続端子１５，１８が対角位置となり、かつ２個の固定補助端子１６，１７が対角位置となるように、表面実装型素子１４の実装面に配置されている。
【００４５】
パワーチョークコイルＬ１の両端に接続された２個の接続端子１５，１８と、回路基板１２への固定を補助するための２個の固定補助端子１６，１７とでは、パワーチョークコイルＬ１との接続の有無に応じて、熱容量が大きく異なる。すなわち、固定補助端子１６，１７の熱容量は、接続端子１５，１８の熱容量よりも小さい。このため、固定補助端子１６，１７は、接続端子１５，１８よりも早く温度が上昇する。すると、固定補助端子１６，１７と接続端子１５，１８とで、はんだが溶融するタイミングにずれが生じ、はんだ張力差などによって表面実装型素子１４の実装位置がずれてしまう可能性が生じる。その結果、表面実装型素子１４の接続端子１５，１８とランド２５，２８とのはんだ接続が不十分となる虞が生じる。
【００４６】
この点に関して、本実施形態では、２個の接続端子１５，１８と２個の固定補助端子１６，１７とが矩形形状の頂点に位置するとともに、２個の接続端子１５，１８が対角位置となり、かつ２個の固定補助端子１６，１７が対角位置となるように、表面実装型素子１４の実装面に配置した。このような配置構造を採用することにより、固定補助端子１６，１７のはんだが溶融したとき、はんだ張力差などが表面実装型素子１４に対して対称的に作用するので、接続端子１５，１８と固定補助端子１６，１７とではんだの溶融タイミングがずれても、表面実装型素子１４の実装位置がずれてしまうことを極力抑制することができる。
【００４７】
大面積パターン２１の一部と配線パターン２３の端部とを跨ぐように、整流ダイオードＤ１が配置されている。この整流ダイオードＤ１も表面実装型素子として構成されており、パワーチョークコイルＬ１を内蔵する表面実装型素子１４と同様に、回路基板１２がリフロー炉内を搬送されるときに、大面積パターン２１と配線パターン２３とにはんだ接続される。配線パターン２３の他端側には、平滑コンデンサＣ２の一方の端子が接続され、整流コンデンサＤ１を介して充電可能となっている。
【００４８】
リフロー炉は、図２に示すように、天井面及び床面に熱風を噴き出す多数のノズルが配置されたものである。なお、図２において、天井面及び床面に記載された矢印が、各ノズルから噴き出される熱風を示している。回路基板１２がリフロー炉内を搬送される際に、各ノズルから噴き出される熱風が回路基板１２の表面及び裏面に当たることで、表面配線層（及び裏面配線層）に塗布されたはんだが溶融し、各種の部品をはんだ接続する。
【００４９】
本実施形態による電子回路基板１２は、上述したように、パワーチョークコイルＬ１を内蔵する表面実装型素子１４の接続端子１５，１８が接続される、回路基板１２に形成されたランド２５，２８を、大面積パターン２０，２１の一部として設けた。
【００５０】
ここで、図３に一点鎖線で示すように、パワーチョークコイルＬ１に通電すべき必要電流値を確保するための電流容量によって決まるパターン面積は、各々の大面積パターン２０，２１の面積よりも狭く、必要電流値を通電するとの観点からすれば、大面積パターン２０，２１を設ける必要はない。
【００５１】
しかしながら、本実施形態では、回路基板１２の表面配線層に形成される金属パターンの良好な熱伝導性に着目し、パワーチョークコイルＬ１への必要通電電流値を確保するための電流容量によって決まるパターン面積よりも大面積の大面積パターン２０，２１を設けたのである。これにより、表面実装型素子１４を搭載した状態で電子回路基板１２がリフロー炉内を搬送される際、大面積パターン２０，２１の集熱及び熱伝導効果により、ランド２５，２８、ひいては表面実装型素子１４の接続端子１５，１８（及び固定補助端子１６，１７）の温度をはんだが十分に溶融する温度まで高めることができる。その結果、熱容量の大きな表面実装型素子１４をリフロー加熱により電子回路基板１２にはんだ付けする場合であっても、はんだ付け品質の低下を抑制することができるとの効果を得ることができる。
【００５２】
また、大面積パターン２０、２１は、図２に示すように、電子回路基板１２が表面実装型素子１４を搭載した状態でリフロー炉内を搬送される際、その搬送方向と平行となるように、電子回路基板１２の表面に形成される。これにより、電子回路基板１２がリフロー炉内を搬送される際に、効率的に大面積パターン２０，２１の温度を高めることができる。
【００５３】
なお、コンデンサＣ１，Ｃ２は、パワーチョークコイルＬ１を内蔵する表面実装型素子１４がリフローはんだ付けされた後に、例えばフロー工程により回路基板にはんだ付けされる。
【００５４】
（第２実施形態）
次に、本発明の第２実施形態について説明する。なお、本実施形態の電子回路基板１２ａ及びその搭載部品に関して、第１実施形態と同様の構成に対しては、同じ参照番号を付与することにより、説明を省略する。
【００５５】
本実施形態による電子回路基板１２ａでは、パワーチョークコイルＬ１を内蔵する表面実装型素子１４と隣接して設けられる、端子挿入型素子であるコンデンサＣ２の接続端子との絶縁を確保しつつ、コンデンサＣ２の直下の領域まで延びるように大面積パターン２１ａを形成した点が第１実施形態による電子回路基板１２と異なる。
【００５６】
すなわち、大面積パターン２１ａは、図６に示すように、コンデンサＣ２の実装位置まで延ばされている。ただし、平滑コンデンサＣ２の一方の端子に接続される配線パターン２３及びコンデンサＣ２の両方の端子の周りにはスリット（隙間）が形成されており、大面積パターン２１ａと配線パターン２３及びコンデンサＣ２の両端子との電気的な絶縁が確保されている。
【００５７】
上述したように、コンデンサＣ２は、パワーチョークコイルＬ１を内蔵する表面実装型素子１４がリフローはんだ付けされた後に回路基板１２に実装される。換言すれば、表面実装型素子１４がリフロー加熱により回路基板１２に実装されるときには、端子挿入型素子であるコンデンサＣ２は、まだ回路基板１２に実装されていない。従って、大面積パターン２１ａのほぼ全面を用いて、リフロー炉内の熱風から集熱することができ、接続端子１７及び固定補助端子１８、さらにそれらに対応するランド２７、２８の温度を効果的に高めることができる。
【００５８】
また、大面積パターン２１ａを設ける領域として、端子挿入型素子であるコンデンサＣ２の直下の領域を利用することにより、回路基板１２の表面を有効に活用し、各種素子を高密度に実装することが可能になる。
【００５９】
（第３実施形態）
次に、本発明の第３実施形態について説明する。なお、本実施形態の電子回路基板１２ｂ及びその搭載部品に関して、第１実施形態及び第２実施形態と同様の構成に対しては、同じ参照番号を付与することにより、説明を省略する。
【００６０】
本実施形態による電子回路基板１２ｂでは、図７に示すように、回路基板１２ｂの裏面にも大面積パターン２４を形成するとともに、表面に形成された大面積パターン２０ａと裏面に形成された大面積パターン２４とを繋ぐように、内部に銅などの金属材料が堆積されたビアホール２２が形成されている点が、第２実施形態による電子回路基板１２ａと異なる。
【００６１】
このような構成の回路基板１２ｂは、まず基板１２ｂに、エッチングやドリルによりビアホール２２を形成し、そのビアホール２２の内面に無電界めっき及び電界めっきなどによって銅などの金属材料を堆積させ、その後、回路基板１２ｂの表面及び裏面に大面積パターン２０ａ、２４を形成することによって得られる。
【００６２】
このような構成を採用することにより、回路基板１２ｂの表面の大面積パターン２０ａに加え、裏面の大面積パターン２４も利用して集熱することができる。そして、裏面の大面積パターン２４によって集められた熱は、ビアホール２２を介して、表面の大面積パターン２０ａに伝えられる。このため、本実施形態の電子回路基板１２ｂによれば、表面実装型素子の接続端子１５及び固定補助端子１６、さらにそれらに対応するランド２５、２６の温度をはんだが十分に溶融する温度まで容易に高めることができる。
【００６３】
（第４実施形態）
次に、本発明の第４実施形態について説明する。なお、本実施形態の電子回路基板１２ｃ及びその搭載部品に関して、第１〜第３実施形態と同様の構成に対しては、同じ参照番号を付与することにより、説明を省略する。
【００６４】
本実施形態による電子回路基板１２ｃでは、図８に示すように、回路基板１２ｃの表面に形成された大面積パターン２０ａ及び大面積パターン２１ａにおいて、表面実装型素子１４の固定補助端子１６，１７がはんだ接続されるランド２６，２７の周りにスリット２９，３０を形成した点が、第３実施形態による電子回路基板１２ｂと異なる。
【００６５】
つまり、本実施形態では、固定補助端子１６がはんだ接続されるランド２６の周りにスリット２９を形成し、固定補助端子１７がはんだ接続されるランド２７の周りにスリット３０を形成することにより、表面実装型素子１４の接続端子１５，１８が接続される大面積パターン部分と、固定補助端子１６，１７が接続される大面積パターン部分とを分離した。その際、固定補助端子１６，１７が接続される大面積パターン部分の面積を、接続端子１５，１８が接続される大面積パターン部分の面積よりも小さくした。
【００６６】
上述したように、接続端子１５，１８はパワーチョークコイルＬ１に接続されるため、固定補助端子１６，１７よりも熱容量が大きい。従って、接続端子１５，１８は、固定補助端子１６，１７よりも温度が上がりにくい。この点を考慮し、本実施形態では、固定補助端子１６，１７が接続される大面積パターン部分の面積を、接続端子１５，１８が接続される大面積パターン部分の面積よりも小さくすることで、固定補助端子１６，１７に対する大面積パターンによる集熱効果を、接続端子１５，１８に対する大面積パターンによる集熱効果よりも小さくしたのである。この結果、接続端子１５，１８と固定補助端子１６，１７とで、はんだが溶融されるタイミングのずれを小さくすることができ、表面実装型素子１４の実装位置ずれを極力抑制することができる。
【００６７】
なお、熱容量が異なる端子の例として、表面実装型素子１４の接続端子１５，１８と固定補助端子１６，１７とに関して説明したが、熱容量が異なる端子は、この例に限られない。例えば、表面実装型素子として、コイルの巻き線数の異なるトランスを用いる場合、そのコイルの巻き数に応じて、それぞれのコイルに接続された接続端子に対する大面積パターンの面積に差を設けても良い。具体的には、巻き数が少なく（コイルの長さが短く）熱容量の小さい接続端子に対する大面積パターンの面積を、巻き数が多く（コイルの長さが長く）熱容量の大きい接続端子に対する大面積パターンの面積よりも小さくしても良い。
【００６８】
（第５実施形態）
次に、本発明の第５実施形態について説明する。なお、本実施形態の電子回路基板１２ｄ及びその搭載部品に関して、第１〜第４実施形態と同様の構成に対しては、同じ参照番号を付与することにより、説明を省略する。
【００６９】
本実施形態による電子回路基板１２ｄでは、図９に示すように、回路基板１２ｄの裏面にも大面積パターン２４が形成される点、及び、表面に形成された大面積パターン２０ａと裏面に形成された大面積パターン２４とを繋ぐように、内部に銅などの金属材料が堆積されたビアホール２２が形成される点は、第３実施形態による電子回路基板１２ｂと同様である。しかし、複数のビアホール２２の表面側端部を取り囲むように、表面の大面積パターン２０ａにスリット３１が形成されている点が、第３実施形態による電子回路基板１２ｂと異なる。
【００７０】
電子回路基板１２ｄの表面の一方の大面積パターン２０ａにスリット３１を形成することにより、ビアホール２２が接続される大面積パターン部分と、表面実装型素子１４の接続端子１５が接続される大面積パターン部分とを電気的に絶縁することができる。換言すると、表面実装型素子１４の接続端子が接続される大面積パターン部分を、ビアホール２２に対して、スリット３１による所定の隙間を隔てて、その周囲を取り囲むように配置することで、基板の表面側の大面積パターン２０ａと、裏面側の大面積パターン２４とを電気的に絶縁している。
【００７１】
ただし、表面側の大面積パターン２０ａにおいて、表面実装型素子１４の接続端子１５が接続された大面積パターン部分と、ビアホール２２が接続された大面積パターン部分とは近接しているため、熱的には連結した状態となる。
【００７２】
このため、電子回路基板１２ｄの裏面側に集熱専用の大面積パターンを設けることなく、他の回路を構成するための大面積パターン２４を利用して、電子回路基板１２の表面の大面積パターン２０ａの温度向上を促進することができる。なお、図９には、大面積パターン２４と接続され、当該他の回路を構成するためのいくつかの回路素子３２が示されている。
【００７３】
さらに、本実施形態の電子回路基板１２では、図９に示すように、表面に形成されたもう１つの大面積パターン２１ｂが、表面実装側素子１４から離れた領域で、短冊状に形成されている点も、第３実施形態の電子回路基板１２ｂなどと異なる。
【００７４】
ここで、大面積パターン２１ｂにおいて短冊状に形成される短冊部２１ｂ１，２１ｂ２は、リフロー炉の天井面に設けられた複数のノズルのそれぞれの直下に位置するように配置される。従って、回路基板１２の搬送方向と直交する方向に隣接するノズルの間隔（ピッチ）は、隣接する短冊部２１ｂ１，２１ｂ２の間隔と同じである。
【００７５】
大面積パターン２１ｂをこのように形成、配置することにより、ノズルから噴き出された熱風が直接大面積パターン２１ｂ（の短冊部２１ｂ１，２１ｂ２）に当たるので、大面積パターン２１ｂの面積を過度に広げることなく、ノズルから噴き出される熱風からの熱を効率的に受けることができる。
【００７６】
以上、本発明の好ましい実施形態について説明したが、本発明は上述した実施形態に何ら制限されることなく、本発明の主旨を逸脱しない範囲において、種々変形して実施することができる。
【００７７】
例えば、上述した実施形態では、表面実装型素子１４に２個の固定補助端子を設け、回路基板１２の大面積パターン２０，２１の対応するランド２６，２７にそれぞれはんだ接続したが、固定補助端子の数は２個に限られず、１個でも、あるいは３個以上であっても良い。少なくとも１個の固定補助端子を設けることにより、接続端子１５，１８による固定のみならず、固定補助端子を利用した固定も実現でき、より確実に表面実装型素子１４を回路基板１２に固定することができる。
【００７８】
また、上述した第１実施形態では、表面実装型素子１４の２個の接続端子１５，１８がそれぞれはんだ接続される大面積パターン２０，２１の形状及び面積をほぼ同一のものとしたが、それらの大面積パターン２０，２１の形状及び／又は面積が異なっていても良い。これにより、表面実装型素子１４のための大面積パターン２０，２１を回路基板１２に配置する際に、大面積パターンの配置位置に関する自由度を向上することができる。つまり、隣接する配線パターンや搭載される他の素子との関係から、大面積パターン２０，２１を配置できる領域が制限される場合であっても、大面積パターン２０，２１の形状を異ならせたり、面積を異ならせることにより、必要な集熱面積を確保しつつ、回路基板１２に大面積パターン２０，２１を設けることができる。
【００７９】
また、上述した第１実施形態では、隙間なく広がったベタパターンにより、大面積パターン２０，２１を構成した。このように、大面積のパターンとしてベタパターンを用いることにより、簡単に大面積のパターンを形成することができる。しかしながら、大面積パターンは、ベタパターン以外に、各種の形態が考えられる。図１０〜図１４に、大面積パターンの具体的な変形例を示す。
【００８０】
図１０に示す例では、大面積パターン２０ｃ、２１ｃ内に、長方形状のパターンが存在しない領域（具体的には、スリットパターン）がそれぞれ複数形成されている。また、図１１に示すように、大面積パターン２０ｄ、２１ｄにおいて、よりサイズの小さいパターンが存在しない領域５０，５１を格子状に配列するように形成しても良い。さらに、図１２に示すように、大面積パターン２０ｅ、２１ｅを、ジグザグに折り返されたジグザグパターンとして形成しても良い。
【００８１】
すなわち、大面積パターン２０ｃ〜２０ｅ、２１ｃ〜２１ｅは、素子間の必要通電電流値から決まるパターン面積よりも大面積であれば、ベタパターンでなくとも構わない。さらに、図１０〜図１２に示されたような大面積パターン２０ｃ〜２０ｅ、２１ｃ〜２１ｅを採用することにより、電子回路基板１２と、その表面に形成される大面積のパターン２０ｃ〜２０ｅ、２１ｃ〜２１ｅを含む各種のパターンとの間に線膨張係数差があっても、電子回路基板１２に対するパターンの偏りを調整することができるので、その線膨張係数差による電子回路基板１２の歪みの発生を軽減することができるとの付随的な効果も得られる。
【００８２】
さらに、上述した第１実施形態では、例えば大面積パターン２１は、表面実装型素子１４に内蔵されるパワーチョークコイルＬ１と整流ダイオードＤ１とを接続するものであったが、この大面積パターン２１に、他の素子（ダミー素子を含む）を接続するためのランドを設けても良い。図１３に示す例では、大面積パターン２１に形成されたランドを用いて、整流ダイオードＤ１に加えて、他の素子Ｄ２，Ｄ３が接続されている。さらに、このような他の素子Ｄ２，Ｄ３は、図１４に示すように、大面積パターン２１から延長した延長部２１ｆに設けたランドを用いて接続することも可能である。
【符号の説明】
【００８３】
１０…制御回路、１２…電子回路基板、１４…表面実装型素子、１５，１８…接続端子、１６，１７…固定補助端子、２０，２１…大面積パターン、２３…配線パターン、２５〜２８…ランド、２９，３０，３１…スリット
【図１】
2010045324.tif 000003
【図２】
2010045324.tif 000004
【図３】
2010045324.tif 000005
【図４】
2010045324.tif 000006
【図５】
2010045324.tif 000007
【図６】
2010045324.tif 000008
【図７】
2010045324.tif 000009
【図８】
2010045324.tif 000010
【図９】
2010045324.tif 000011
【図１０】
2010045324.tif 000012
【図１１】
2010045324.tif 000013
【図１２】
2010045324.tif 000014
【図１３】
2010045324.tif 000015
【図１４】
2010045324.tif 000016